(57)【要約】【課題】  梱包作業が容易であり、かつ被梱包物の搬送又は保管の際に、被梱包物を傷つけ難い梱包材及び梱包方法を提供する。【解決手段】  梱包材には、被梱包物Ｈの下側部の形状に沿う下側凹部２３・２３を設けた下側凹部付きトレー２０と、被梱包物Ｈの上側部の形状に沿う上側凹部３３・３３を設けた上側凹部付き蓋部３０とを備える。下側凹部付きトレー２０の各下側凹部２３・２３には、被梱包物Ｈに形成されたシャーシピン５・５を係止して被梱包物Ｈの進退移動を禁止する係止部２４・２４が形成されている。【選択図】  図１
2005075410.tif 000002
【特許請求の範囲】
【請求項１】
被梱包物の下側部の形状に沿う下側凹部を設けた下側凹部付きトレーと、
被梱包物の上側部の形状に沿う上側凹部を設けた上側凹部付き蓋部とを備えると共に、
上記下側凹部付きトレーの各下側凹部には、被梱包物に形成された被係止用突起を係止して被梱包物の進退移動を禁止する係止部が形成されていることを特徴とする梱包材。
【請求項２】
被梱包物の下側部の形状に沿う下側凹部を複数個並設した下側凹部付きトレーと、
被梱包物の上側部の形状に沿う上側凹部を複数個並設した上側凹部付き蓋部とを備えると共に、
上記下側凹部付きトレーの各下側凹部には、被梱包物に形成された被係止用突起を係止して被梱包物の進退移動を禁止する係止部が形成されていることを特徴とする梱包材。
【請求項３】
前記係止部には、被梱包物を載置するための台座部が形成されていることを特徴とする請求項１又は２記載の梱包材。
【請求項４】
前記係止部は、前記被係止用突起を押圧して係止すべく、弾性部材からなっていることを特徴とする請求項１又は２記載の梱包材。
【請求項５】
前記被係止用突起は、被梱包物における長手方向両端の２箇所に形成されている一方、
前記係止部は、上記２箇所に形成された被係止用突起を係止すべく２箇所の対が少なくとも１組以上設けられていることを特徴とする請求項１又は２記載の梱包材。
【請求項６】
前記係止部は、弾性を有するプラスチック樹脂からなっていることを特徴とする請求項１又は２記載の梱包材。
【請求項７】
前記下側凹部付きトレー及び上側凹部付き蓋部は、それぞれ、弾性を有するプラスチック樹脂にて一体成形品からなっていることを特徴とする請求項１又は２記載の梱包材。
【請求項８】
前記上側凹部付き蓋部の上側凹部は、縦断面形状が階段状に形成されていることを特徴とする請求項１又は２記載の梱包材。
【請求項９】
被梱包物の下側部の形状に沿う下側凹部を設けた下側凹部付きトレーと、
被梱包物の上側部の形状に沿う上側凹部を設けた上側凹部付き蓋部と、
被梱包物に形成された被係止用突起を係止して被梱包物の進退移動を禁止すべく上記下側凹部付きトレーの各下側凹部に形成された係止部とによって、被梱包物を支持固定することを特徴とする梱包方法。
【発明の詳細な説明】
【技術分野】
【０００１】
本発明は、電子部品等の被梱包物を梱包するための梱包材及び梱包方法に関するものである。
【背景技術】
【０００２】
従来、例えばチューナ等の電子部品からなる被梱包物Ｈを多数個固定するために、例えば図１３に示す仕切りタイプの梱包材１００が使用される。すなわち、この梱包材１００は、被梱包物Ｈの側面を支持するための横仕切１０１と、この横仕切１０１に直交する縦仕切１０２とを有しており、これら横仕切１０１及び縦仕切１０２によって、マトリクス状に多数の収納ブロックを形成している。
【０００３】
この梱包材１００では、例えば、図１４（ａ）（ｂ）に示すように、横仕切１０１に折り返して形成された台座部１０１ｂに被梱包物Ｈを受けて収納している。
【０００４】
上記梱包材１００を製造するときには、図１５に示すように、まず、上側に被梱包物Ｈの長手方向の長さに対応して形成した複数の差込孔を形成し、かつ下側端面を台形状に切断することにより台座部１０１ｂとした長方形の段ボール板を、図１６に示すように、折り目１０１ａにて谷折りする。
【０００５】
次に、図１７（ａ）（ｂ）に示すように、櫛状に形成した長方形の段ボール板からなる２枚の縦仕切１０２ａ・１０２ｂを、図１８及び図１９（ａ）に示すように、重ね合わせて上記縦仕切１０２とし、図１９（ｂ）に示すように、この縦仕切１０２の櫛目を横仕切１０１の差込孔に挿入する。この作業を複数回行うことにより、図１３に示すように、上記梱包材１００が完成する。この種の梱包材１００としては、例えば、特許文献１、特許文献２に開示されたものがある。
【０００６】
一方、他の梱包材１２０として、図２０に示すように、被梱包物Ｈの形状に沿う凹部を形成し、その凹部に被梱包物Ｈを収納するブックタイプのものがある。
【０００７】
この種の梱包材１２０を製造するときは、図２１に示すように、まず、１枚の段ボール板からなる台紙１２１に対して、被梱包物Ｈの形状に合わせた切り抜き１２２を形成する。次いで、図２４に示すように、この台紙１２１の長手方向の約１／３の位置に形成した山折り部１２３にて台紙１２１を山折りして裏側に折り込み、台紙１２１の糊付領域に糊付けを行うことにより、底板部１２１ａを密着固定する。
【０００８】
さらに、図２２に示すように、台紙１２１を折罫部１２４・１２５にて折り曲げることにより上蓋部１２１ｂを形成し、被梱包物Ｈを切り抜き１２２によって形成された凹部に収納する。最後に、図２３に示すように、２ケ所の天面１２６・１２６をテープ１２７・１２７にてテーピングする。この種の梱包材は、例えば、特許文献３及び特許文献４に開示されている。
【０００９】
さらに他の梱包材としては、例えば、フレームにより被梱包物を固定するフレームタイプのものがある。
【００１０】
この種の梱包材では、図２４に示すように、まず、一対のレール状のフレーム１３１・１３１における、各フレーム１３１の上面に形成された隙間１３１ａ・１３１ａに、被梱包物Ｈの両側端部から下側にそれぞれ突出する突出片１１０ａ・１１０ｂを差し込む。これにより、図２５に示すように、被梱包物Ｈが一対のレール状のフレーム１３１・１３１に支持固定される。また、同図には示されていないが、上述の作業を繰り返して、被梱包物Ｈをレールに沿って指定数量並べる。
【００１１】
次いで、一対のレール状のフレーム１３１・１３１の両端側を固定材１３２・１３２にて支持固定する。また、複数の被梱包物Ｈの上側は、押え材１３３にて支持固定する。そして、このように梱包したユニットを、図２６に示すように、連結溝にて連結することにより、図２７に示すように、横並びに配設することができる。
【特許文献１】特開平６−２９８２８８号公報（公開日１９９４年１０月２５日）
【特許文献２】特開２００２−３０２１９２号公報（公開日２００２年１０月１５日）
【特許文献３】実開平６３−１５８８６８号公報（公開日１９８８年１０月１８日）
【特許文献４】実開昭５８−１９２２５８号公報（公開日１９８３年１２月１２日）
【特許文献５】実開昭５８−８８３５８号公報（公開日１９８３年０６月１５日）
【発明の開示】
【発明が解決しようとする課題】
【００１２】
しかしながら、従来の上記図１３に示す梱包材１００では、被梱包物Ｈにおける端子ピン１１１の近傍を、折り返し部分の台座部１０１ｂに載せる構成となっている。このため、外力によって製品である被梱包物Ｈが揺動し、痛んでしまうことがあった。
【００１３】
また、横仕切１０１の折り返し部分が被梱包物Ｈの端子ピン１１１に触れることにより、端子ピン１１１が歪んでしまい、被梱包物Ｈを外部機器に良好に接続できなくなるという事態を招来していた。
【００１４】
また、上記図２０に示した梱包材１２０は、被梱包物Ｈの形状(大きさ)が変わる度に梱包材の新設を行う必要があるという問題点を有している。さらに、梱包材の種類が多く、管理面で混乱をきたし、コスト、梱包材の保管スペース、生産面にも問題がある。また、製品の全体を覆うための製品の形状に応じた凹部を製品の数だけ形成する必要がある。このため、製造過程が複雑で、コストがかかる。
【００１５】
また、図２７に示した梱包材１３０は、一対のレール状のフレーム１３１・１３１、固定材１３２・１３２、及び押え材１３３からなるものであり、図２５に示す組み立て作業を行う必要があり、作業性が悪く、コスト高となる。
【００１６】
本発明は、上記従来の問題点に鑑みなされたものであって、その目的は、梱包作業が容易であり、かつ被梱包物の搬送又は保管の際に、被梱包物を傷つけ難い梱包材及び梱包方法を提供することにある。
【課題を解決するための手段】
【００１７】
本発明の梱包材は、上記課題を解決するために、被梱包物の下側部の形状に沿う下側凹部を設けた下側凹部付きトレーと、被梱包物の上側部の形状に沿う上側凹部を設けた上側凹部付き蓋部とを備えると共に、上記下側凹部付きトレーの各下側凹部には、被梱包物に形成された被係止用突起を係止して被梱包物の進退移動を禁止する係止部が形成されていることを特徴としている。
【００１８】
また、本発明の梱包材は、上記課題を解決するために、被梱包物の下側部の形状に沿う下側凹部を複数個並設した下側凹部付きトレーと、被梱包物の上側部の形状に沿う上側凹部を複数個並設した上側凹部付き蓋部とを備えると共に、上記下側凹部付きトレーの各下側凹部には、被梱包物に形成された被係止用突起を係止して被梱包物の進退移動を禁止する係止部が形成されていることを特徴としている。
【００１９】
また、本発明の梱包材は、上記記載の梱包材において、前記係止部には、被梱包物を載置するための台座部が形成されていることを特徴としている。
【００２０】
また、本発明の梱包材は、上記記載の梱包材において、前記係止部は、前記被係止用突起を押圧して係止すべく、弾性部材からなっていることを特徴としている。
【００２１】
また、本発明の梱包材は、上記記載の梱包材において、前記被係止用突起は、被梱包物における長手方向両端の２箇所に形成されている一方、前記係止部は、上記２箇所に形成された被係止用突起を係止すべく２箇所の対が少なくとも１組以上設けられていることを特徴としている。
【００２２】
また、本発明の梱包材は、上記記載の梱包材において、前記係止部は、弾性を有するプラスチック樹脂からなっていることを特徴としている。
【００２３】
また、本発明の梱包材は、上記記載の梱包材において、前記下側凹部付きトレー及び上側凹部付き蓋部は、それぞれ、弾性を有するプラスチック樹脂にて一体成形品からなっていることを特徴としている。
【００２４】
また、本発明の梱包材は、上記記載の梱包材において、前記上側凹部付き蓋部の上側凹部は、縦断面形状が階段状に形成されていることを特徴としている。
【００２５】
また、本発明の梱包材は、上記記載の梱包材において、前記下側凹部付きトレー及び上側凹部付き蓋部は、プラスチック成形品にてなっていることを特徴としている。
【００２６】
また、本発明の梱包方法は、上記課題を解決するために、被梱包物の下側部の形状に沿う下側凹部を設けた下側凹部付きトレーと、被梱包物の上側部の形状に沿う上側凹部を設けた上側凹部付き蓋部と、被梱包物に形成された被係止用突起を係止して被梱包物の進退移動を禁止すべく上記下側凹部付きトレーの各下側凹部に形成された係止部とによって、被梱包物を支持固定することを特徴としている。
【発明の効果】
【００２７】
本発明の梱包材は、被梱包物の下側部の形状に沿う下側凹部を設けた下側凹部付きトレーと、被梱包物の上側部の形状に沿う上側凹部を設けた上側凹部付き蓋部とを備えると共に、上記下側凹部付きトレーの各下側凹部には、被梱包物に形成された被係止用突起を係止して被梱包物の進退移動を禁止する係止部が形成されている。
【００２８】
また、本発明の梱包方法は、被梱包物の下側部の形状に沿う下側凹部を設けた下側凹部付きトレーと、被梱包物の上側部の形状に沿う上側凹部を設けた上側凹部付き蓋部と、被梱包物に形成された被係止用突起を係止して被梱包物の進退移動を禁止すべく上記下側凹部付きトレーの各下側凹部に形成された係止部とによって、被梱包物を支持固定する。
【００２９】
それゆえ、本梱包材では、被梱包物に対して係止部にて進退移動と下側への移動を防止し、下側凹部付きトレーの下側凹部、及び上側凹部付き蓋部の上側凹部にて、側面方向の移動及び上側方向の移動が禁止される。このため、上下左右前後の被梱包物の揺動や脱落を回避することができる。また、梱包作業は、下側凹部に設けられた係止部を跨ぐようにして、被梱包物を下側凹部に挿入し、上側凹部付き蓋部を被せるだけでよい。
【００３０】
したがって、梱包作業が容易であり、かつ被梱包物の搬送又は保管の際に、被梱包物を傷つけ難い梱包材及び梱包方法を提供するという効果を奏する。
【００３１】
また、本発明では、梱包材は、被梱包物の下側部の形状に沿う下側凹部を複数個並設した下側凹部付きトレーと、被梱包物の上側部の形状に沿う上側凹部を複数個並設した上側凹部付き蓋部とを備える。
【００３２】
それゆえ、前記発明の効果に加えて、１つの梱包材に複数の被梱包物を梱包することができるという効果を奏する。
【００３３】
また、本発明の梱包材は、係止部には、被梱包物を載置するための台座部が形成されている。
【００３４】
それゆえ、被梱包物を安定して係止部の台座部に載置することができるという効果を奏する。
【００３５】
また、本発明の梱包材では、係止部は、前記被係止用突起を押圧して係止すべく、弾性部材からなっている。
【００３６】
それゆえ、被梱包物の横方向の衝撃が加わっても、弾性部材によりその衝撃を緩和することができるという効果を奏する。
【００３７】
また、本発明の梱包材では、被係止用突起は、被梱包物における長手方向両端の２箇所に形成されている一方、前記係止部は、上記２箇所に形成された被係止用突起を係止すべく２箇所の対が少なくとも１組以上設けられている。
【００３８】
それゆえ、被梱包物における長手方向両端の２箇所に形成された被係止用突起を係止すべく２箇所に係止部が設けられているので、これによって、被梱包物の進退移動を簡単な構成である１対の係止部によって防止することができるという効果を奏する。
【００３９】
一方、被係止用突起同士の間隔は、被梱包物の長手方向のサイズに応じて変動する。しかし、１対の係止部が複数形成されていることによって、被係止用突起の間隔が異なっても、この間隔に応じて使用する係止部を適切に選択することにより、同一梱包材にて異なる長さの被梱包物でも梱包可能となるという効果を奏する。したがって、梱包にかかるコストを削減できるという効果を奏する。
【００４０】
また、本発明の梱包材は、係止部は、弾性を有するプラスチック樹脂からなっている。
【００４１】
それゆえ、被梱包物に横方向の衝撃が加わっても、弾性を有するプラスチック樹脂によりその衝撃を緩和することができる。また、係止部をプラスチック樹脂にて形成することにより、下側凹部付きトレーをプラスチック樹脂にて形成した場合には、容易に一体成形することができるという効果を奏する。
【００４２】
また、本発明の梱包材では、下側凹部付きトレー及び上側凹部付き蓋部は、弾性を有するプラスチック樹脂にて一体成形品からなっている。
【００４３】
それゆえ、被梱包物に上下方向の衝撃が加わってもその衝撃を緩和することができると共に、容易に製造できるという効果を奏する。
【００４４】
また、本発明の梱包材では、上側凹部付き蓋部の上側凹部は、縦断面形状が階段状に形成されている。
【００４５】
それゆえ、厚さの異なる被梱包物であっても、１種類の梱包材にて対応することができるという効果を奏する。
【００４６】
また、本発明の梱包材は、下側凹部付きトレー及び上側凹部付き蓋部は、プラスチック成形品にてなっている。
【００４７】
それゆえ、容易に製造することができるという効果を奏する。
【発明を実施するための最良の形態】
【００４８】
本発明の実施の一形態について図１ないし図１２に基づいて説明すれば、以下の通りである。なお、本実施の形態の梱包材は、電子チューナ等の電子部品、ギア機構等の機械部品等の製品を安定した状態で梱包するための物である。また、梱包とは、製品を搬送又は保管する際に、外力による揺動や衝撃に起因する揺動によって、製品を傷めないように製品を固定させるための措置である。
【００４９】
すなわち、本実施の形態の梱包材にて梱包される、例えば電子チューナ等の電子部品（製品）からなる被梱包物Ｈは、図２に示すように、例えば、略直方体のチューナ本体１を有し、このチューナ本体１の底面からは複数の端子ピン２が突出している。この端子ピン２は、リードピンとして形成される場合もある。また、チューナ本体１における長手方向の一方の側面には、円柱状突起からなるアンテナ入力３とアンテナ出力４とが設けられている。
【００５０】
さらに、チューナ本体１には、長手方向の両端の下側において、下方に突出する被係止用突起としてのシャーシピン５・５が形成されている。このシャーシピン５・５は、例えば、チューナ本体１を図示しない基板に取り付ける際に、半田付けにより取り付けるために設けられているものであり、例えば、鉄板等にてなっている。
【００５１】
このような被梱包物Ｈを収納するための梱包材１０は、本実施の形態では、図１に示すように、下側凹部付きトレー２０と、この下側凹部付きトレー２０と対になった上側凹部付き蓋部３０とからなっている。上記下側凹部付きトレー２０及び上側凹部付き蓋部３０は、それぞれ、弾性を有する１枚のプラスチック樹脂の板からなっており、例えば、真空成形、射出成形、圧縮成形等によるプラスチック成形品にてなっている。なお、この上側凹部付き蓋部３０は、梱包状態の被梱包物Ｈが見えるように、透明であることが好ましい。
【００５２】
上記下側凹部付きトレー２０は、図２に示すように、トレー周辺方形枠部２１と、このトレー周辺方形枠部２１の内側縁部から立設するトレー四角錐台部２２と、このトレー四角錐台部２２に２列に並んで形成された下側凹部２３・２３とを有している。上記下側凹部２３・２３は、被梱包物Ｈの下側部の形状に沿う直方体の凹部となっており、被梱包物Ｈの側面の下側部を支持できるようになっている。なお、本実施の形態では、下側凹部２３・２３は、２列に並んで形成されているが、必ずしもこれに限らず、単一に形成されていてもよい。また、下側凹部２３・２３の形状は、本実施の形態ではチューナ本体１の下部形状に沿う直方体としているが、必ずしもこれに限らず、被梱包物Ｈの下部形状に沿うものであれば、多少の凹凸があってもよい。さらに、本実施の形態では、トレー四角錐台部２２は、四角錐台に形成されているが、必ずしもこれに限らず、例えば、直方体でもよい。そのときには、後述する蓋四角錐台部３２もその直方体のトレー四角錐台部２２に外接する直方体となる。
【００５３】
上記下側凹部２３・２３の長手方向の長さは、チューナ本体１とアンテナ出力４との和に等しい長さとなっている。
【００５４】
また、上記下側凹部２３の内部には、２箇所に係止部２４・２４が立設して形成されており、これら係止部２４・２４は、被梱包物Ｈに形成されたシャーシピン５・５を係止することにより、梱包状態のチューナ本体１が進退移動できないようになっている。すなわち、図４に示すように、２箇所の係止部２４・２４は、チューナ本体１の長手方向の両端部の下側から突出するシャーシピン５・５の内側に当接する位置に設けられている。したがって、チューナ本体１の進退移動が禁止される。
【００５５】
上記係止部２４・２４は、被梱包物Ｈの収納時に、衝撃が加わった場合にその衝撃を緩和するように、弾性部材からなっている。すなわち、係止部２４・２４は、下側凹部２３・２３の底面から９０度に立ち上がる立設板にてなっている。これによって、下側凹部付きトレー２０が弾性を有するプラスチック樹脂にてなっているので、この下側凹部付きトレー２０に一体に成形された係止部２４・２４もプラスチック樹脂にてなり、シャーシピン５・５が当接した状態では被梱包物Ｈの横揺れに対して弾性部材として作用し、横方向の衝撃によって被梱包物Ｈが破損するのを防止できるものとなっている。
【００５６】
また、係止部２４・２４の頂部２４ａ・２４ａは水平に直線状になっており、これによって、これら頂部２４ａ・２４ａは、被梱包物Ｈを載置するための台座部として安定して載置できる機能を有している。さらに、係止部２４・２４の頂部２４ａ・２４ａまでの高さは、トレー四角錐台部２２の頂面よりも低くなるように形成されていると共に、被梱包物Ｈを頂部２４ａ・２４ａに載置したときに、シャーシピン５・５及び端子ピン２が下側凹部２３・２３の底に着かないようになっている。
【００５７】
一方、上記上側凹部付き蓋部３０は、図１に示すように、蓋周辺方形枠部３１と、この蓋周辺方形枠部３１の内側縁部から立設する蓋四角錐台部３２と、この蓋四角錐台部３２に２列に並んで形成された上側凹部３３・３３とを有している。上記蓋周辺方形枠部３１は、上記トレー周辺方形枠部２１と同じ大きさに形成されている。また、蓋四角錐台部３２の側面壁は、上記トレー四角錐台部２２の側面壁に外接するようになっている。さらに、上記上側凹部３３・３３は、被梱包物Ｈの上側部の形状に沿う例えば直方体の凹部となっており、被梱包物Ｈの側面の上側部を支持できるようになっている。なお、本実施の形態では、上側凹部３３・３３は、２列に並んで形成されているが、必ずしもこれに限らず、単一に形成されていてもよい。また、上側凹部３３・３３の形状は、本実施の形態ではチューナ本体１の上部形状に沿う直方体としているが、必ずしもこれに限らず、被梱包物Ｈの上部形状に沿うものであれば、図５に示すように、多少の凹凸があってもよい。
【００５８】
上記上側凹部３３・３３の長手方向の長さは、チューナ本体１とアンテナ入力３との和に略等しい長さとなっている。
【００５９】
また、図６に示すように、この上側凹部付き蓋部３０の上側凹部３３・３３の底部までの高さは、被梱包物Ｈを下側凹部付きトレー２０の係止部２４・２４における頂部２４ａ・２４ａに載置したときに、チューナ本体１の上面が上側凹部３３・３３の底部に当接するようになっている。
【００６０】
上記構成の梱包材１０に、被梱包物Ｈを梱包する方法を説明する。
【００６１】
本実施の形態では、図３に示すように、被梱包物Ｈの下側部の形状に沿う下側凹部２３・２３を設けた下側凹部付きトレー２０と、被梱包物Ｈの上側部の形状に沿う上側凹部３３・３３を設けた上側凹部付き蓋部３０と、被梱包物Ｈに形成されたシャーシピン５・５を係止して被梱包物Ｈの進退移動を禁止すべく下側凹部付きトレー２０の各下側凹部２３・２３に形成された係止部２４・２４とによって、被梱包物Ｈ・Ｈを支持固定することにより、被梱包物Ｈ・Ｈを梱包するようになっている。
【００６２】
具体的には、図２に示すように、まず、下側凹部付きトレー２０の下側凹部２３・２３に形成された係止部２４・２４がシャーシピン５・５の内側に位置するように、被梱包物Ｈ・Ｈを下側凹部２３・２３に挿入する。これにより、チューナ本体１の底面が係止部２４・２４の頂部２４ａ・２４ａに当接し、被梱包物Ｈ・Ｈが係止部２４・２４の頂部２４ａ・２４ａに載置された状態となる。また、このとき、チューナ本体１の側面の下側部は、下側凹部２３・２３の側面壁に当接することにより、支持されるものとなる。
【００６３】
次に、図１に示すように、上側から上側凹部付き蓋部３０を被せる。これにより、チューナ本体１及びアンテナ入力３の上側部が上側凹部３３に略嵌合した状態となるので、チューナ本体１はこの上側凹部３３によって支持される。
【００６４】
この結果、チューナ本体１は、係止部２４によって、長手方向の移動が禁止され、上側凹部３３及び下側凹部２３によって、側面方向の移動が禁止され、上側凹部３３によって、上側への移動が禁止される。したがって、この梱包材１０では、チューナ本体１が確実に固定されたものとなる。また、梱包作業も、下側凹部２３・２３の係止部２４・２４を跨ぐようにして、チューナ本体１のシャーシピン５・５を下側凹部２３・２３に挿入し、上側凹部付き蓋部３０を被せるだけで良いので、極めて容易に行うことができる。
【００６５】
なお、下側凹部付きトレー２０と上側凹部付き蓋部３０との結合は、例えば、トレー周辺方形枠部２１と蓋周辺方形枠部３１との縁部をテープで止める等によって、固定することができる。または、より容易に下側凹部付きトレー２０と上側凹部付き蓋部３０とを結合するためには、例えば、トレー周辺方形枠部２１と蓋周辺方形枠部３１との両方に嵌合溝を作っておき、トレー周辺方形枠部２１と蓋周辺方形枠部３１とその嵌合溝にて嵌め合わすことにより行うことができる。この技術は、例えば、特許文献５に開示されている。
【００６６】
また、本実施の形態では、下側凹部付きトレー２０の下側凹部２３及びそれに対応する上側凹部付き蓋部３０の上側凹部３３は、２列又は単一であるとして説明したが、必ずしもこれに限らず、例えば、図７〜図９に示すように、１０列の横並びに形成することも可能である。さらに、多数列にすることが可能である。これにより、１つの梱包材１０によって、多数の被梱包物Ｈを梱包することが可能となる。
【００６７】
さらに、本実施の形態では、上側凹部付き蓋部３０の上側凹部３３は、単に直方体の凹部として形成されたものであった。しかし、必ずしもこれに限らず、図１０及び図１１に示すように、縦断面が階段状の上側凹部４０・４０として形成することが可能である。
【００６８】
これにより、例えば、チューナ本体１の直方体のサイズが異なる場合においても、同一の梱包材１０にて梱包することができる。すなわち、薄いチューナ本体１の場合には、上側凹部４０・４０に形成された幅の狭い奥底凹部４１にて、チューナ本体１及びアンテナ入力３を支持する一方、厚いチューナ本体１の場合には、上側凹部４０・４０の形成された幅の広い浅広凹部４２にて、チューナ本体１及びアンテナ入力３を支持することができる。また、一つの梱包材１０に２種類のサイズの被梱包物Ｈを梱包することが可能である。
【００６９】
このようにして、梱包材１０に梱包された被梱包物Ｈは、図１２に示すように、包装緩衝体である外箱５０に複数個詰められて出荷される。
【００７０】
このように、本実施の形態の梱包材１０では、被梱包物Ｈの下側部の形状に沿う下側凹部２３・２３を設けた下側凹部付きトレー２０と、被梱包物Ｈの上側部の形状に沿う上側凹部３３・３３を設けた上側凹部付き蓋部３０とを備えると共に、下側凹部付きトレー２０の各下側凹部２３・２３には、被梱包物Ｈに形成されたシャーシピン５・５を係止して被梱包物Ｈの進退移動を禁止する係止部２４・２４が形成されている。
【００７１】
また、本実施の形態の梱包方法は、被梱包物Ｈの下側部の形状に沿う下側凹部２３・２３を設けた下側凹部付きトレー２０と、被梱包物Ｈの上側部の形状に沿う上側凹部３３・３３を設けた上側凹部付き蓋部３０と、被梱包物Ｈに形成されたシャーシピン５・５を係止して被梱包物Ｈの進退移動を禁止すべく、下側凹部付きトレー２０の各下側凹部２３・２３に形成された係止部２４・２４とによって、被梱包物Ｈを支持固定する。
【００７２】
それゆえ、本梱包材１０では、被梱包物Ｈに対して係止部２４・２４にて進退移動と下側への移動を防止し、下側凹部付きトレー２０の下側凹部２３・２３、及び上側凹部付き蓋部３０の上側凹部３３・３３にて、側面方向の移動及び上側方向の移動が禁止される。
【００７３】
このため、上下左右前後の被梱包物Ｈの揺動や脱落を回避することができる。また、梱包作業は、下側凹部２３・２３に設けられた係止部２４・２４を跨ぐようにして、被梱包物Ｈを下側凹部２３・２３に挿入し、上側凹部付き蓋部３０を被せるだけでよい。
【００７４】
したがって、梱包作業が容易であり、かつ被梱包物Ｈの搬送又は保管の際に、被梱包物Ｈを傷つけ難い梱包材１０及び梱包方法を提供する。
【００７５】
また、本実施の形態では、梱包材１０は、被梱包物Ｈの下側部の形状に沿う下側凹部２３・２３を複数個並設した下側凹部付きトレー２０と、被梱包物Ｈの上側部の形状に沿う上側凹部３３・３３を複数個並設した上側凹部付き蓋部３０とを備える。
【００７６】
それゆえ、前記実施の形態の効果に加えて、１つの梱包材１０に複数の被梱包物Ｈを梱包することができる。
【００７７】
また、本実施の形態の梱包材１０は、係止部２４・２４には、被梱包物Ｈを載置するための頂部２４ａ・２４ａが形成されている。
【００７８】
それゆえ、被梱包物Ｈを安定して係止部２４・２４の頂部２４ａ・２４ａに載置することができる。
【００７９】
また、本実施の形態の梱包材１０では、係止部２４・２４は、シャーシピン５・５を押圧して係止すべく、弾性部材からなっている。
【００８０】
それゆえ、被梱包物Ｈの横方向の衝撃が加わっても、弾性部材によりその衝撃を緩和することができる。
【００８１】
また、本実施の形態の梱包材１０では、被梱包物Ｈにおける長手方向両端の２箇所に形成されたシャーシピン５・５を係止すべく２箇所に係止部２４・２４が設けられているので、これによって、被梱包物Ｈの進退移動を簡単な構成である１対の係止部２４・２４によって防止することができる。
【００８２】
一方、シャーシピン５・５同士の間隔は、被梱包物の長手方向のサイズに応じて変動する。しかし、１対の係止部２４・２４が複数形成されていることによって、シャーシピン５・５の間隔が異なっても、この間隔に応じて使用する係止部２４・２４を適切に選択することにより、同一梱包材にて異なる長さの被梱包物でも梱包可能となる。
【００８３】
また、本実施の形態の梱包材１０は、係止部２４・２４は、弾性を有するプラスチック樹脂からなっている。
【００８４】
それゆえ、被梱包物Ｈに横方向の衝撃が加わっても、弾性を有するプラスチック樹脂によりその衝撃を緩和することができる。また、係止部２４・２４をプラスチック樹脂にて形成することにより、下側凹部付きトレー２０をプラスチック樹脂にて形成した場合には、容易に一体成形することができる。
【００８５】
また、本実施の形態の梱包材１０では、下側凹部付きトレー２０及び上側凹部付き蓋部３０は、それぞれ、弾性を有するプラスチック樹脂にて一体成形品からなっている。
【００８６】
それゆえ、被梱包物Ｈに上下方向の衝撃が加わってもその衝撃を緩和することができると共に、容易に製造できる。
【００８７】
また、本実施の形態の梱包材１０では、上側凹部付き蓋部３０の上側凹部４０・４０は、縦断面形状が階段状に形成されている。
【００８８】
それゆえ、厚さの異なる被梱包物Ｈであっても、１種類の梱包材１０にて対応することができる。
【００８９】
また、本実施の形態の梱包材１０は、下側凹部付きトレー２０及び上側凹部付き蓋部３０は、プラスチック成形品にてなっている。
【００９０】
それゆえ、容易に製造することができる。
【産業上の利用可能性】
【００９１】
本発明の梱包材及び梱包方法は、電子チューナ等の電子部品、ギア機構等の機械部品等の被梱包物を梱包するために利用することができる。また、被梱包物を搬送又は保管するために利用することができる。
【図面の簡単な説明】
【００９２】
【図１】本発明の実施形態を示すものであり、梱包材の構成を示す分解斜視図である。
【図２】上記梱包材の下側凹部付きトレーに被梱包物を収納する動作を示す斜視図である。
【図３】上記梱包材に梱包された被梱包物を示す斜視図である。
【図４】図１のＡ−Ａ線断面図である。
【図５】図３のＢ−Ｂ線断面図である。
【図６】図３の縦断面図である。
【図７】上側凹部を階段状の凹部とした上側凹部付き蓋部の構成を示す梱包材の分解斜視図である。
【図８】被梱包物を梱包した上記梱包材を示す斜視図である。
【図９】下側凹部を１０個形成した下側凹部付きトレーを示す斜視図である。
【図１０】上記下側凹部付きトレーを用いて被梱包物を梱包する動作を示す分解斜視図である。
【図１１】被梱包物を梱包した上記梱包材を示す斜視図である。
【図１２】被梱包物を梱包した上記梱包材を外箱に詰める動作を示す分解斜視図である。
【図１３】従来技術を示すものであり、仕切りタイプの梱包材を示す斜視図である。
【図１４】（ａ）は上記仕切りタイプの梱包材に被梱包物を収納する動作を示す正面図であり、（ｂ）は上記仕切りタイプの梱包材に被梱包物を収納した状態を示す正面図である。
【図１５】上記仕切りタイプの梱包材における横仕切の構成を示す展開図である。
【図１６】上記仕切りタイプの梱包材における横仕切を形成する動作を示す斜視図である。
【図１７】（ａ）（ｂ）は、上記仕切りタイプの梱包材における縦仕切の構成を示す展開図である。
【図１８】上記仕切りタイプの梱包材における縦仕切を形成する動作を示す分解斜視図である。
【図１９】（ａ）は上記仕切りタイプの梱包材における横仕切と縦仕切とを組み合わせる動作を示す分解斜視図であり、（ｂ）は上記仕切りタイプの梱包材における横仕切と縦仕切とを組み合わせた状態を示す斜視図である。
【図２０】他の従来技術を示すものであり、ブックタイプの梱包材を示す斜視図である。
【図２１】上記ブックタイプの梱包材の構成を示す展開図である。
【図２２】上記ブックタイプの梱包材の製造動作を示す斜視図である。
【図２３】上記ブックタイプの梱包材における梱包状態を示す斜視図である。
【図２４】さらに他の従来技術を示すものであり、フレームタイプの梱包材におけるフレームを示す斜視図である。
【図２５】上記ブックタイプの梱包材における梱包動作を示す分解斜視図である。
【図２６】上記ブックタイプの梱包材における梱包動作を示すものであり、ユニットを合わせる動作を示す分解斜視図である。
【図２７】上記ブックタイプの梱包材における梱包状態を示す斜視図である。
【符号の説明】
【００９３】
１    チューナ本体
２    端子ピン
３    アンテナ入力
４    アンテナ出力
５    シャーシピン（被係止用突起）
１０    梱包材
２０    下側凹部付きトレー
２３    下側凹部
２４    係止部
２４ａ  頂部（台座部）
３０    上側凹部付き蓋部
３３    上側凹部
４０    上側凹部（階段状の凹部）
Ｈ    被梱包物
【図１】
2005075410.tif 000003
【図２】
2005075410.tif 000004
【図３】
2005075410.tif 000005
【図４】
2005075410.tif 000006
【図５】
2005075410.tif 000007
【図６】
2005075410.tif 000008
【図７】
2005075410.tif 000009
【図８】
2005075410.tif 000010
【図９】
2005075410.tif 000011
【図１０】
2005075410.tif 000012
【図１１】
2005075410.tif 000013
【図１２】
2005075410.tif 000014
【図１３】
2005075410.tif 000015
【図１４】
2005075410.tif 000016
【図１５】
2005075410.tif 000017
【図１６】
2005075410.tif 000018
【図１７】
2005075410.tif 000019
【図１８】
2005075410.tif 000020
【図１９】
2005075410.tif 000021
【図２０】
2005075410.tif 000022
【図２１】
2005075410.tif 000023
【図２２】
2005075410.tif 000024
【図２３】
2005075410.tif 000025
【図２４】
2005075410.tif 000026
【図２５】
2005075410.tif 000027
【図２６】
2005075410.tif 000028
【図２７】
2005075410.tif 000029